(57)【要約】【課題】冷媒に対する添加剤の比率を冷凍サイクル装置の円滑な運転にとって望ましい値に調整するための技術を提供する。【解決手段】本開示の冷凍サイクル装置（１００）は、冷媒成分と添加剤との混合物を冷媒として用いた冷凍サイクル装置であって、冷媒液を貯留するとともに、冷媒液を蒸発させて冷媒蒸気を生成する蒸発器（３）と、冷媒蒸気を凝縮させる凝縮器（６）と、冷媒蒸気を圧縮する圧縮機（２）が設けられた、蒸発器（３）から凝縮器（６）に冷媒蒸気を導く蒸気経路（３０）と、凝縮器（６）から蒸発器（３）に冷媒液を導く第１バイパス路（２１）と、第１バイパス路（２１）とは別の経路であって、蒸発器（３）から凝縮器（６）に冷媒液を導く第２バイパス路（２２）と、を備えている。【選択図】図１
2016109321.tif 000002
【特許請求の範囲】
【請求項１】
冷媒成分と添加剤との混合物を冷媒として用いた冷凍サイクル装置であって、
冷媒液を貯留するとともに、前記冷媒液を蒸発させて冷媒蒸気を生成する蒸発器と、
前記冷媒蒸気を凝縮させる凝縮器と、
前記冷媒蒸気を圧縮する圧縮機が設けられた、前記蒸発器から前記凝縮器に前記冷媒蒸気を導く蒸気経路と、
前記凝縮器から前記蒸発器に前記冷媒液を導く第１バイパス路と、
第１熱交換器と、前記蒸発器の出口と前記第１熱交換器の入口との間に配置されたポンプとを有し、前記蒸発器と前記第１熱交換器との間で前記冷媒液を循環させる吸熱循環路と、
前記第１バイパス路とは別の経路であって、前記ポンプの吐出口と前記第１熱交換器の入口との間において前記吸熱循環路から分岐しており、前記蒸発器から前記凝縮器に前記冷媒液を導く第２バイパス路と、
を備えた、冷凍サイクル装置。
【請求項２】
前記蒸発器に貯留された前記冷媒液における前記添加剤の濃度、及び／又は、前記凝縮器に貯留された前記冷媒液における前記添加剤の濃度を直接的又は間接的に検出する濃度検出機構をさらに備えた、請求項１に記載の冷凍サイクル装置。
【請求項３】
前記濃度検出機構は、前記蒸発器の内部の圧力を検出する圧力センサと、前記蒸発器の内部の温度を検出する温度センサとを含む、請求項２に記載の冷凍サイクル装置。
【請求項４】
前記濃度検出機構は、前記凝縮器の内部の圧力を検出する圧力センサと、前記凝縮器の内部の温度を検出する温度センサとを含む、請求項２又は３に記載の冷凍サイクル装置。
【請求項５】
前記濃度検出機構は、前記蒸発器に貯留された前記冷媒液における前記添加剤の濃度を検出する濃度センサと、前記凝縮器に貯留された前記冷媒液における前記添加剤の濃度を検出する濃度センサとの少なくとも１つを含む、請求項２〜４のいずれか１項に記載の冷凍サイクル装置。
【請求項６】
前記第１バイパス路には、弁が設けられている、請求項１〜５のいずれか１項に記載の冷凍サイクル装置。
【請求項７】
前記第２バイパス路には、弁が設けられている、請求項１〜６のいずれか１項に記載の冷凍サイクル装置。
【請求項８】
前記蒸発器の内部における前記冷媒液の液面の位置を検出する液面センサをさらに備えた、請求項１〜７のいずれか１項に記載の冷凍サイクル装置。
【請求項９】
前記凝縮器の内部における前記冷媒液の液面の位置を検出する液面センサをさらに備えた、請求項１〜８のいずれか１項に記載の冷凍サイクル装置。
【請求項１０】
前記濃度検出機構の検出結果に基づき、前記第２バイパス路を通じて前記蒸発器から前記凝縮器へと前記冷媒液を供給するための処理を実行する制御器をさらに備えた、請求項１〜９のいずれか１項に記載の冷凍サイクル装置。
【請求項１１】
前記冷媒成分は、常温での飽和蒸気圧が負圧の物質である、請求項１〜１０のいずれか１項に記載の冷凍サイクル装置。
【発明の詳細な説明】
【技術分野】
【０００１】
本開示は、冷凍サイクル装置に関する。
【背景技術】
【０００２】
従来の冷凍サイクル装置には、フロン、代替フロンなどのハロゲン化炭化水素が冷媒として広く使用されている。しかし、これらの冷媒は、オゾン層の破壊、地球温暖化などの問題を有している。そこで、地球環境に対する負荷が極めて小さい冷媒である水を用いた冷凍サイクル装置が提案されている。
【０００３】
特許文献１には、そのような冷凍サイクル装置として、冷房専用の空気調和装置が開示されている。特許文献１の空気調和装置は、自然冷媒を使用することに基づいて環境負荷の低減を達成できる。また、水の潜熱量は従来の冷媒よりも大きいので、特許文献１の空気調和装置は、低い質量流量で従来の空気調和装置と同等の能力を発揮できる。すなわち、冷房専用の空気調和装置の用途において、水を冷媒として用いた冷凍サイクル装置は、高いＣＯＰ（Coefficient of Performance）を達成できる。
【先行技術文献】
【特許文献】
【０００４】
【特許文献１】特開２００８−１２２０１２号公報（図１）
【発明の概要】
【発明が解決しようとする課題】
【０００５】
ところで、冷凍サイクル装置の冷媒には、しばしば、冷媒成分以外の添加剤が含まれている。例えば、特許文献１に記載された冷凍サイクル装置の場合、水（冷媒成分）と、水の凍結を防止するための添加剤との混合物を冷媒として使用することが考えられる。しかし、このような添加剤の溶液の飽和蒸気圧は、冷媒成分の飽和蒸気圧と大きく異なる場合がある。飽和蒸気圧の差が原因で、冷凍サイクル装置の特定の部分（例えば、蒸発器及び凝縮器）において、冷媒に対する添加剤の比率が円滑な運転にとって望ましくない値に徐々に変化する可能性がある。
【０００６】
上記の事情に鑑み、本開示は、冷媒に対する添加剤の比率を冷凍サイクル装置の円滑な運転にとって望ましい値に調整するための技術を提供する。
【課題を解決するための手段】
【０００７】
すなわち、本開示は、
冷媒成分と添加剤との混合物を冷媒として用いた冷凍サイクル装置であって、
冷媒液を貯留するとともに、前記冷媒液を蒸発させて冷媒蒸気を生成する蒸発器と、
前記冷媒蒸気を凝縮させる凝縮器と、
前記冷媒蒸気を圧縮する圧縮機が設けられた、前記蒸発器から前記凝縮器に前記冷媒蒸気を導く蒸気経路と、
前記凝縮器から前記蒸発器に前記冷媒液を導く第１バイパス路と、
第１熱交換器と、前記蒸発器の出口と前記第１熱交換器の入口との間に配置されたポンプとを有し、前記蒸発器と前記第１熱交換器との間で前記冷媒液を循環させる吸熱循環路と、
前記第１バイパス路とは別の経路であって、前記ポンプの吐出口と前記第１熱交換器の入口との間において前記吸熱循環路から分岐しており、前記蒸発器から前記凝縮器に前記冷媒液を導く第２バイパス路と、
を備えた、冷凍サイクル装置を提供する。
【発明の効果】
【０００８】
本開示によれば、蒸発器及び凝縮器のそれぞれにおいて、冷媒に対する添加剤の比率が冷凍サイクル装置の円滑な運転にとって望ましい値に調整されうる。
【図面の簡単な説明】
【０００９】
【図１】実施形態に係る冷凍サイクル装置の構成図
【図２Ａ】蒸発器に貯留された冷媒液の飽和蒸気圧が、凝縮器に貯留された冷媒液の飽和蒸気圧に一致している場合の単一の飽和蒸気圧曲線ＣREFを示すグラフ
【図２Ｂ】蒸発器に貯留された冷媒液における添加剤の濃度が上昇し、凝縮器に貯留された冷媒液における添加剤の濃度が低下したときにおける、蒸発器に貯留された冷媒液の飽和蒸気圧曲線ＣCON及び凝縮器に貯留された冷媒液の飽和蒸気圧曲線ＣCONを示すグラフ
【発明を実施するための形態】
【００１０】
特許文献１の冷凍サイクル装置（空気調和装置）のように、冷媒として水を使用すると、冷媒の温度を氷点下まで下げることを必要とする運転条件で冷媒が凍結する。そのため、外気温が低いときに暖房運転を行うことができない。また、冷却対象物の温度が氷点下を下回る条件で冷凍サイクル装置を冷凍機として使用できない。
【００１１】
不凍液と水との混合物を冷媒として使用すれば、低温での運転が可能になる。しかし、一般的な不凍液であるエチレングリコール溶液及び酢酸カリウム溶液は、水よりも低い飽和蒸気圧を持っている。そのため、不凍液と水との混合物を冷媒として使用すると、蒸発器においては水が優先的に蒸発し、冷媒蒸気の大部分が水で占められる。その結果、運転時間の経過とともに、蒸発器に貯留された冷媒液における不凍液の濃度（正確には、エチレングリコールの濃度又は酢酸カリウムの濃度）が上昇し、凝縮器に貯留された冷媒液における不凍液の濃度が低下する。このような状態で運転を停止すると、凝縮器の中の冷媒液が凍結し、凝縮器、配管などの部品が損壊するおそれがある。
【００１２】
この問題に対処する方法として、以下の方法が考えられる。すなわち、蒸発器における不凍液の濃度が上昇又は凝縮器における不凍液の濃度が低下した時点で運転（例えば暖房運転）を一時停止し、蒸発器に貯留された冷媒液の一部と凝縮器に貯留された冷媒液の一部とを相互に入れ替える。これにより、蒸発器に貯留された冷媒液における不凍液の濃度及び凝縮器に貯留された冷媒液における不凍液の濃度を初期化することができる。
【００１３】
すなわち、本開示の第１態様は、
冷媒成分と添加剤との混合物を冷媒として用いた冷凍サイクル装置であって、
冷媒液を貯留するとともに、前記冷媒液を蒸発させて冷媒蒸気を生成する蒸発器と、
前記冷媒蒸気を凝縮させる凝縮器と、
前記冷媒蒸気を圧縮する圧縮機が設けられた、前記蒸発器から前記凝縮器に前記冷媒蒸気を導く蒸気経路と、
前記凝縮器から前記蒸発器に前記冷媒液を導く第１バイパス路と、
第１熱交換器と、前記蒸発器の出口と前記第１熱交換器の入口との間に配置されたポンプとを有し、前記蒸発器と前記第１熱交換器との間で前記冷媒液を循環させる吸熱循環路と、
前記第１バイパス路とは別の経路であって、前記ポンプの吐出口と前記第１熱交換器の入口との間において前記吸熱循環路から分岐しており、前記蒸発器から前記凝縮器に前記冷媒液を導く第２バイパス路と、
を備えた、冷凍サイクル装置を提供する。
【００１４】
第１態様によれば、蒸発器及び凝縮器のそれぞれにおいて、冷媒に対する添加剤の比率が冷凍サイクル装置の円滑な運転にとって望ましい値に調整されうる。また、第１態様によれば、第２バイパス路を蒸発器に直接接続せずに済む。このことは、冷凍サイクル装置の構造の簡素化に寄与する。さらに、第１態様によれば、吸熱循環路のポンプの動力を使って、第２バイパス路を経由して、蒸発器に貯留された冷媒液を凝縮器に一方向に供給することができる。つまり、第２バイパス路に専用のポンプを設ける必要がないので、コストの増加を抑制することができる。
【００１５】
本開示の第２態様は、第１態様に加え、前記蒸発器に貯留された前記冷媒液における前記添加剤の濃度、及び／又は、前記凝縮器に貯留された前記冷媒液における前記添加剤の濃度を直接的又は間接的に検出する濃度検出機構をさらに備えた、冷凍サイクル装置を提供する。蒸発器に貯留された冷媒液における添加剤の濃度及び／又は凝縮器に貯留された冷媒液における添加剤の濃度を監視することによって、蒸発器から凝縮器に冷媒液を移動させるべき適切なタイミングを正確に知ることができる。
【００１６】
本開示の第３態様は、第２態様に加え、前記濃度検出機構は、前記蒸発器の内部の圧力を検出する圧力センサと、前記蒸発器の内部の温度を検出する温度センサとを含む、冷凍サイクル装置を提供する。圧力センサと温度センサとの組み合わせは、冷媒液における添加剤の濃度を間接的に検出する手段であるものの、濃度センサよりも安価でありうる。また、圧力センサ及び温度センサは、添加剤の濃度を検出する用途だけでなく、冷凍サイクル装置の制御にも使用されうる。
【００１７】
本開示の第４態様は、第２又は第３態様に加え、前記濃度検出機構は、前記凝縮器の内部の圧力を検出する圧力センサと、前記凝縮器の内部の温度を検出する温度センサとを含む、冷凍サイクル装置を提供する。第４態様によれば、第３態様と同じ効果が得られる。
【００１８】
本開示の第５態様は、第２〜第４態様のいずれか１つに加え、前記濃度検出機構は、前記蒸発器に貯留された前記冷媒液における前記添加剤の濃度を検出する濃度センサと、前記凝縮器に貯留された前記冷媒液における前記添加剤の濃度を検出する濃度センサとの少なくとも１つを含む、冷凍サイクル装置を提供する。濃度センサによれば、添加剤の濃度を直接的に検出することができる。
【００１９】
本開示の第６態様は、第１〜第５態様のいずれか１つに加え、前記第１バイパス路には、弁が設けられている、冷凍サイクル装置を提供する。第１バイパス路に弁が設けられていると、凝縮器から蒸発器に冷媒液をスムーズに流すことが可能になる。
【００２０】
本開示の第７態様は、第１〜第６態様のいずれか１つに加え、前記第２バイパス路には、弁が設けられている、冷凍サイクル装置を提供する。弁を閉じれば、第２バイパス路を経由して、蒸発器から凝縮器に冷媒液が移動することを禁止できる。
【００２１】
本開示の第８態様は、第１〜第７態様のいずれか１つに加え、前記蒸発器の内部における前記冷媒液の液面の位置を検出する液面センサをさらに備えた、冷凍サイクル装置を提供する。液面センサによれば、蒸発器の冷媒液の量と凝縮器の冷媒液の量を適切に調整することができる。
【００２２】
本開示の第９態様は、第１〜第８態様のいずれか１つに加え、前記凝縮器の内部における前記冷媒液の液面の位置を検出する液面センサをさらに備えた、冷凍サイクル装置を提供する。液面センサによれば、蒸発器の冷媒液の量と凝縮器の冷媒液の量を適切に調整することができる。
【００２３】
本開示の第１０態様によれば、第１〜第９態様のいずれか１つに加え、前記濃度検出機構の検出結果に基づき、前記第２バイパス路を通じて前記蒸発器から前記凝縮器へと前記冷媒液を供給するための処理を実行する制御器をさらに備えた、冷凍サイクル装置を提供する。制御器によれば、当該処理が適切なタイミングで実行されうる。
【００２４】
本開示の第１１態様によれば、第１〜第１０態様のいずれか１つに加え、前記冷媒成分は、常温での飽和蒸気圧が負圧の物質である、冷凍サイクル装置を提供する。
【００２５】
以下、本開示の実施形態について、図面を参照しながら説明する。本開示は、以下の実施形態に限定されない。
【００２６】
（実施形態）
図１に示すように、本実施形態の冷凍サイクル装置１００は、蒸発器３、蒸気経路３０、凝縮器６、第１バイパス路２１及び第２バイパス路２２を備えている。蒸発器３において生成された冷媒蒸気が蒸気経路３０を経由して凝縮器６に供給される。蒸気経路３０には、圧縮機２が設けられている。冷媒蒸気は、圧縮機２によって圧縮される。凝縮器６の冷媒液が第１バイパス路２１を経由して蒸発器３に供給される。
【００２７】
冷凍サイクル装置１００には、常温（日本工業規格：２０℃±１５℃／JIS Z8703）での飽和蒸気圧が負圧（絶対圧で大気圧よりも低い圧力）の物質を主成分として含む冷媒が充填されている。そのような冷媒としては、水などを主成分として含む冷媒が挙げられる。冷凍サイクル装置１００の運転時において、冷凍サイクル装置１００の内部の圧力は大気圧よりも低い。圧縮機２の入口の圧力は、例えば、０．５〜５ｋＰａＡの範囲にある。圧縮機２の吐出口の圧力は、例えば、５〜１５ｋＰａＡの範囲にある。「主成分」とは、質量比で最も多く含まれた成分を意味する。
【００２８】
冷媒は、冷媒成分と添加剤との混合物である。添加剤は、典型的には、混合物の凝固温度が、冷媒成分の凝固温度を下回るように、冷媒成分に混合された物質（不凍剤）である。このような混合物を冷媒として使用することによって、以下の利益が得られる。すなわち、外気温が低いときに、冷凍サイクル装置１００を空気調和装置（詳細には暖房機）として使用できる。また、冷却対象物の温度が氷点下を下回る条件で冷凍サイクル装置１００を冷凍機として使用できる。冷媒の凍結防止のための添加剤の例は、エチレングリコール、プロピレングリコールなどの多価アルコール、及び、酢酸カリウムなどの無機塩類である。これらの他に、防腐剤、防錆剤などが添加剤として挙げられる。添加剤は、例えば、１〜７０質量％の範囲で冷媒に含まれている。
【００２９】
また、添加剤は、混合物の特定温度における飽和蒸気圧が、冷媒成分の特定温度における飽和蒸気圧を下回るように、冷媒成分に混合された物質でありうる。上述の多価アルコール及び無機塩類には、このような働きがある。また、吸収式冷凍機で吸収液として使用される臭化リチウムにもこのような働きがある。冷媒としての混合物には、上述した働きを持つ添加剤が１種類のみ含まれていてもよいし、上述した働きを持つ複数の種類の添加剤が冷媒としての混合物に含まれていてもよい。
【００３０】
なお、本明細書において、「特定温度」は、冷凍サイクル装置１００の運転中に冷媒が到達する可能性がある温度範囲における温度を意味する。そのような温度範囲は、例えば、−２０〜５０℃である。
【００３１】
冷凍サイクル装置１００は、さらに、吸熱循環路２４及び放熱循環路２５を備えている。
【００３２】
吸熱循環路２４は、ポンプ４、第１熱交換器５及び流路（配管）１３〜１５を有する。吸熱循環路２４の両端はそれぞれ蒸発器３に接続されている。具体的には、流路１３の一端が蒸発器３の下部（液面よりも下の部分）に接続され、流路１３の他端がポンプ４の吸入口に接続されている。流路１４の一端がポンプ４の吐出口に接続され、流路１４の他端が第１熱交換器５の入口に接続されている。流路１５の一端が第１熱交換器５の出口に接続され、流路１５の他端が蒸発器３の上部又は中間部に接続されている。ポンプ４は、当該ポンプ４の吸入口から蒸発器３に貯留された冷媒液の液面までの高さが必要吸込ヘッド（required NPSH）よりも大きくなるような位置に配置されている。吸熱循環路２４は、蒸発器３と第１熱交換器５との間で熱媒体を循環させる。本実施形態において、吸熱循環路２４を循環する熱媒体は、蒸発器３に貯留された冷媒液である。吸熱循環路２４の働きにより、蒸発器３に貯留された冷媒液を効率的に加熱することができる。また、蒸発器３に貯留された冷媒液を吸熱循環路２４に循環させるので、他の熱媒体を吸熱循環路２４に循環させる場合と比較して、蒸発器３及び吸熱循環路２４の構造が簡素である。
【００３３】
第１熱交換器５は、フィンチューブ熱交換器、シェルチューブ熱交換器などの公知の熱交換器でありうる。例えば、冷凍サイクル装置１００が室内の冷房を行う空気調和装置である場合、第１熱交換器５は室内に配置され、室内の空気を冷媒液によって冷却する。
【００３４】
放熱循環路２５は、ポンプ７、第２熱交換器８及び流路（配管）１８〜２０を有する。放熱循環路２５の両端はそれぞれ凝縮器６に接続されている。具体的には、流路１８の一端が凝縮器６の下部（液面よりも下の部分）に接続され、流路１８の他端がポンプ７の吸入口に接続されている。流路１９の一端がポンプ７の吐出口に接続され、流路１９の他端が第２熱交換器８の入口に接続されている。流路２０の一端が第２熱交換器８の出口に接続され、流路２０の他端が凝縮器６の上部又は中間部に接続されている。ポンプ７は、当該ポンプ７の吸入口から凝縮器６に貯留された冷媒液の液面までの高さが必要吸込ヘッド（required NPSH）よりも大きくなるような位置に配置されている。放熱循環路２５は、凝縮器６と第２熱交換器８との間で熱媒体を循環させる。本実施形態において、放熱循環路２５を循環する熱媒体は、凝縮器６に貯留された冷媒液である。放熱循環路２５の働きにより、凝縮器６に貯留された冷媒液を効率的に冷却することができる。また、凝縮器６に貯留された冷媒液を放熱循環路２５に循環させるので、他の熱媒体を放熱循環路２５に循環させる場合と比較して、凝縮器６及び放熱循環路２５の構造が簡素である。
【００３５】
第２熱交換器８は、フィンチューブ熱交換器、シェルチューブ熱交換器などの公知の熱交換器でありうる。例えば、冷凍サイクル装置１００が室内の冷房を行う空気調和装置である場合、第２熱交換器８は室外に配置され、室外の空気を冷媒液によって加熱する。
【００３６】
蒸発器３は、例えば、断熱性及び耐圧性を有する容器によって形成されている。蒸発器３は、冷媒液を貯留するとともに、冷媒液を内部で蒸発させる。すなわち、外部環境から熱を吸収することによって加熱された冷媒液が蒸発器３の中で沸騰する。本実施形態において、蒸発器３に貯留された冷媒液は、吸熱循環路２４を循環する冷媒液に直接接触する。つまり、蒸発器３に貯留された冷媒液の一部は、第１熱交換器５で加熱され、飽和状態の冷媒液を加熱するために使用される。
【００３７】
先に説明したように、冷媒に含まれた添加剤は、混合物（冷媒）の特定温度における飽和蒸気圧が、冷媒成分の特定温度における飽和蒸気圧を下回るように、冷媒成分に混合された物質でありうる。このとき、蒸発器３において生成された冷媒蒸気の大部分は、冷媒成分で占められる。添加剤の種類にもよるが、冷媒成分の比率は、冷媒蒸気に対して、例えば、９９．８質量％以上である。ただし、不可避的に混入している空気を除き、冷媒蒸気に冷媒成分のみが含まれていてもよい。
【００３８】
吸熱循環路２４及び蒸発器３は、蒸発器３に貯留された冷媒液が吸熱循環路２４を循環する熱媒体と混ざらないように構成されていてもよい。例えば、蒸発器３がシェルチューブ熱交換器のような熱交換構造を有している場合、吸熱循環路２４を循環する熱媒体によって蒸発器３に貯留された冷媒液を加熱し、蒸発させることができる。このとき、第１熱交換器５は、蒸発器３に貯留された冷媒液を加熱するための熱媒体を加熱する。このような構成は、真空系の経路の全長を短縮することができる点で有利である。また、蒸発器３に熱源が設けられていてもよい。
【００３９】
蒸気経路３０は、蒸発器３から凝縮器６に冷媒蒸気を導くための経路である。蒸気経路３０は、上流部分１６及び下流部分１７を有する。上流部分１６によって蒸発器３の上部が圧縮機２の吸入口に接続されている。下流部分１７によって圧縮機２の吐出口が凝縮器６の上部に接続されている。圧縮機２は、遠心式圧縮機又は容積式圧縮機でありうる。圧縮機２は、上流部分１６を通じて蒸発器３から冷媒蒸気を吸い込み、断熱的に圧縮する。圧縮された冷媒蒸気は、下流部分１７を通じて凝縮器６に供給される。
【００４０】
蒸気経路３０には、複数の圧縮機が設けられていてもよい。この場合、低圧側圧縮機と高圧側との間に中間冷却器が設けられていてもよい。中間冷却器は、低圧側圧縮機で圧縮された冷媒蒸気を冷却する。これにより、高圧側圧縮機の性能及び信頼性を向上させることができる。中間冷却器で冷媒蒸気を冷却するために使用される流体は、冷凍サイクル装置１００の特定部分（例えば、放熱循環路２４）を流れる冷媒であってもよいし、外部から供給された熱媒体（例えば、空気又は水）であってもよい。さらに、前者と後者とを併用してもよい。また、複数の中間冷却器が蒸気経路３０に設けられていてもよい。例えば、蒸気経路３０にｎ台（ｎは３以上の整数）の圧縮機が設けられているとき、（ｎ−１）台の中間冷却器が蒸気経路３０に配置されうる。
【００４１】
凝縮器６は、例えば、断熱性及び耐圧性を有する容器によって形成されている。凝縮器６は、冷媒蒸気を凝縮させるとともに、冷媒蒸気を凝縮させることによって生じた冷媒液を貯留する。本実施形態では、過熱状態の冷媒蒸気が、外部環境に熱を放出することによって冷却された冷媒液に直接接触して凝縮する。凝縮器６に貯留された冷媒液は、放熱循環路２５を循環する冷媒液に直接接触する。つまり、凝縮器６に貯留された冷媒液の一部は、第２熱交換器８で冷却され、過熱状態の冷媒蒸気を冷却するために使用される。
【００４２】
放熱循環路２５及び凝縮器６は、凝縮器６に貯留された冷媒液が放熱循環路２５を循環する熱媒体と混ざらないように構成されていてもよい。例えば、凝縮器６がシェルチューブ熱交換器のような熱交換構造を有している場合、放熱循環路２５を循環する熱媒体によって冷媒蒸気を冷却し、凝縮させることができる。このとき、第２熱交換器８は、冷媒蒸気を冷却するための熱媒体を冷却する。このような構成は、真空系の経路の全長を短縮することができる点で有利である。また、凝縮器６に吸熱源が設けられていてもよい。
【００４３】
本実施形態においては、蒸発器３及び凝縮器６が直接接触型の熱交換器である。そのため、蒸発器３及び凝縮器６を小型化しやすい。他方、吸熱循環路２４（又は放熱循環路２５）に冷媒とは別の熱媒体を循環させる場合には、ポンプ４（又はポンプ７）に要求されるＮＰＳＨが低減されるため、冷凍サイクル装置１００の高さを縮小することが可能である。
【００４４】
第１バイパス路２１は、凝縮器６から蒸発器３に冷媒液を導くための経路である。第１バイパス路２１によって、蒸発器３と凝縮器６とが接続されている。本実施形態では、蒸発器３の中間部（高さ方向における中間部）と凝縮器６の中間部（高さ方向における中間部）とが第１バイパス路２１によって接続されている。第１バイパス路２１には、弁１１が設けられている。弁１１は、開閉弁であってもよいし、流量調整弁であってもよい。冷媒液は、弁１１において減圧されながら、第１バイパス路２１を通じて凝縮器６から蒸発器３に戻される。つまり、弁１１は、膨張機構としての機能を有する。弁１１が流量調整弁であるとき、必要に応じて、第１バイパス路２１における冷媒液の流量を正確に調整することができる。ただし、弁１１に加えて、第１バイパス路２１にキャピラリが設けられていてもよい。場合によっては、弁１１を省略してもよい。
【００４５】
本実施形態では、第１バイパス路２１にポンプが設けられていない。この場合、次の２つの駆動圧によって、凝縮器６から蒸発器３に冷媒液が戻される。２つの駆動圧の１つは、蒸発器３に貯留された冷媒液の飽和蒸気圧と凝縮器６に貯留された冷媒液の飽和蒸気圧との間の差に起因する駆動圧である。２つの駆動圧の他の１つは、蒸発器３に貯留された冷媒液の液面の高さと凝縮器６に貯留された冷媒液の液面の高さとの差（液面ヘッド差）に起因する駆動圧である。ポンプを省略することによって、コストを削減できる。
【００４６】
また、第１バイパス路２１は、冷媒液を双方向に流すことができる経路であってもよい。
【００４７】
第２バイパス路２２は、蒸発器３から凝縮器６に冷媒液を導くための経路である。第２バイパス路２２は、蒸気経路３０及び第１バイパス路２１とは別の経路である。第２バイパス路２２を通じて、冷媒液を蒸発器３から凝縮器６に移動させることができる。所定の入れ替え条件が満たされた場合、第２バイパス路２２を経由して、蒸発器３に貯留された冷媒液を凝縮器６に移動させることができる。言い換えれば、添加剤を相対的に高い濃度で含む冷媒液と添加剤を相対的に低い濃度で含む冷媒液とを混合させる。これにより、蒸発器３に貯留された冷媒液の添加剤の濃度と凝縮器６に貯留された冷媒液の添加剤の濃度とを均一化することができる。もちろん、蒸発器３に貯留された冷媒液の添加剤の濃度と凝縮器６に貯留された冷媒液の添加剤の濃度とを完全に一致させる必要は無い。
【００４８】
第２バイパス路２２には、弁１２が設けられている。弁１２は、開閉弁であってもよいし、流量調整弁であってもよい。弁１２を閉じれば、第２バイパス路２２を経由して、蒸発器３から凝縮器６に冷媒液が移動することを禁止できる。弁１２が流量調整弁であるとき、必要に応じて、第２バイパス路２２における冷媒液の流量を正確に調整することができる。
【００４９】
本実施形態において、第２バイパス路２２は、吸熱循環路２４から分岐している。このような構成によれば、第２バイパス路２２を蒸発器３に直接接続せずに済む。このことは、冷凍サイクル装置１００の構造の簡素化に寄与する。具体的に、吸熱循環路２４は、蒸発器３の出口と第１熱交換器５の入口との間に配置されたポンプ４を有する。第２バイパス路２２は、ポンプ４の吐出口と第１熱交換器５の入口との間において吸熱循環路２４から分岐している。このような構成によれば、吸熱循環路２４のポンプ４の動力を使って、第２バイパス路２２を経由して、蒸発器３に貯留された冷媒液を凝縮器６に一方向に供給することができる。つまり、第２バイパス路２２に専用のポンプを設ける必要がないので、コストの増加を抑制することができる。もちろん、第２バイパス路２２に専用のポンプが設けられていてもよい。第２バイパス路２２に専用のポンプが設けられているとき、第２バイパス路２２が蒸発器３に直接接続されていてもよい。
【００５０】
第２バイパス路２２の他端は、凝縮器６に接続されている。本実施形態では、凝縮器６の底部に第２バイパス路２２が接続されている。
【００５１】
蒸発器３において、第１バイパス路２１の一端（第１バイパス路２１の開口部）は、高さ方向（鉛直方向）に関して、吸熱循環路２４の入口よりも上に位置している。凝縮器６において、第１バイパス路２１の他端は、高さ方向（鉛直方向）に関して、第２バイパス路２２の出口（第２バイパス路２２の開口部）よりも上に位置している。このような位置関係によれば、濃度均一化処理をスムーズに行えるとともに、液面ヘッド差を利用して第１バイパス路２１を通じて凝縮器６から蒸発器３に冷媒液を移動させやすい。ただし、これらの位置関係は上記の関係に限定されない。
【００５２】
冷凍サイクル装置１００は、さらに、濃度センサ１０ａ及び１０ｂを備えている。濃度センサ１０ａは、蒸発器３の下部に取り付けられている。濃度センサ１０ｂは、凝縮器６の下部に取り付けられている。濃度センサ１０ａは、蒸発器３に貯留された冷媒液における添加剤の濃度を検出する濃度検出機構である。同様に、濃度センサ１０ｂは、凝縮器６に貯留された冷媒液における添加剤の濃度を検出する濃度検出機構である。濃度センサ１０ａ及び１０ｂによれば、添加剤の濃度を直接的に検出することができる。蒸発器３に貯留された冷媒液における添加剤の濃度及び／又は凝縮器６に貯留された冷媒液における添加剤の濃度を監視することによって、蒸発器３から凝縮器６に冷媒液を移動させるべき適切なタイミングを正確に知ることができる。添加剤の初期濃度は既知であるため、濃度センサ１０ａ及び１０ｂから選ばれる一方のみが冷凍サイクル装置１００に設けられていたとしても、上記のタイミングを正確に知ることができる。
【００５３】
また、濃度センサ１０ａ以外の手段によって、蒸発器３に貯留された冷媒液における添加剤の濃度を知ることもできる。例えば、冷凍サイクル装置１００は、濃度検出機構として、圧力センサ９ａ及び温度センサ２６ａを備えている。圧力センサ９ａは、蒸発器３の内部の圧力を検出する。詳細には、圧力センサ９ａは、蒸発器３の内部における蒸気圧（飽和蒸気圧）を検出する。温度センサ２６ａは、蒸発器３の内部の温度を検出する。詳細には、温度センサ２６ａは、蒸発器３に貯留された冷媒液の温度又は蒸発器３で生成された冷媒蒸気の温度を検出する。
【００５４】
添加剤の初期濃度は既知であるため、冷媒液の初期の飽和蒸気圧曲線も既知である。任意の温度における現在の飽和蒸気圧と初期の飽和蒸気圧との差から、現在の添加剤の濃度を知ることができる。例えば、飽和蒸気圧、温度及び添加剤の濃度の関係が記述されたテーブルが準備されているとき、飽和蒸気圧及び温度から添加剤の濃度を直ちに特定することができる。したがって、圧力センサ９ａ及び温度センサ２６ａは、蒸発器３に貯留された冷媒液における添加剤の濃度を検出する濃度検出機構として機能しうる。圧力センサ９ａ及び温度センサ２６ａによって、蒸発器３から凝縮器６に冷媒液を移動させるべき適切なタイミングを正確に知ることができる。圧力センサ９ａと温度センサ２６ａとの組み合わせは、蒸発器３に貯留された冷媒液における添加剤の濃度を間接的に検出する手段であるものの、濃度センサ１０ａよりも安価でありうる。また、圧力センサ９ａ及び温度センサ２６ａは、添加剤の濃度を検出する用途だけでなく、冷凍サイクル装置１００の制御にも使用されうる。
【００５５】
同様に、濃度センサ１０ｂ以外の手段によって、凝縮器６に貯留された冷媒液における添加剤の濃度を知ることもできる。例えば、冷凍サイクル装置１００は、濃度検出機構として、圧力センサ９ｂ及び温度センサ２６ｂを備えている。圧力センサ９ｂは、凝縮器６の内部の圧力を検出する。詳細には、圧力センサ９ｂは、凝縮器６の内部における蒸気圧（飽和蒸気圧）を検出する。温度センサ２６ｂは、凝縮器６の内部の温度を検出する。詳細には、温度センサ２６ｂは、凝縮器６に貯留された冷媒液の温度又は凝縮器６における冷媒蒸気の温度を検出する。
【００５６】
圧力センサ９ａ及び温度センサ２６ａと同じ理由により、圧力センサ９ｂ及び温度センサ２６ｂは、凝縮器６に貯留された冷媒液における添加剤の濃度を検出する濃度検出機構として機能しうる。圧力センサ９ｂ及び温度センサ２６ｂによっても、蒸発器３から凝縮器６に冷媒液を移動させるべき適切なタイミングを正確に知ることができる。圧力センサ９ｂと温度センサ２６ｂとの組み合わせは、凝縮器６に貯留された冷媒液における添加剤の濃度を間接的に検出する手段であるものの、濃度センサ１０ｂよりも安価でありうる。また、圧力センサ９ｂ及び温度センサ２６ｂは、添加剤の濃度を検出する用途だけでなく、冷凍サイクル装置１００の制御にも使用されうる。
【００５７】
本実施形態において、圧力センサ９ａは、蒸発器３の上部（液面よりも上の部分）に取り付けられている。温度センサ２６ａは、蒸発器３の下部に取り付けられている。圧力センサ９ｂは、凝縮器６の上部（液面よりも上の部分）に取り付けられている。温度センサ２６ｂは、凝縮器６の下部に取り付けられている。ただし、これらのセンサの位置は特に限定されない。
【００５８】
濃度検出機構としての具体的手段は、蒸発器３のみに設けられていてもよいし、凝縮器６にのみ設けられていてもよいし、それらの両方に設けられていてもよい。なぜなら、一方における添加剤の濃度が判明するだけで、後述する濃度均一化処理を実行すべきタイミングを知ることができるからである。また、一方における添加剤の濃度から他方における添加剤の濃度を推定することもできる。また、濃度検出機構としての具体的手段は、１つのみ設けられていてもよいし、複数設けられていてもよい。
【００５９】
冷凍サイクル装置１００は、さらに、液面センサ２３ａ及び２３ｂを備えている。液面センサ２３ａは、蒸発器３の内部における冷媒液の液面の位置を検出する。液面センサ２３ｂは、凝縮器６の内部における冷媒液の液面の位置を検出する。液面センサ２３ａ及び２３ｂの検出結果に基づき、蒸発器３における冷媒液の量及び凝縮器６における冷媒液の量を適切に調整することができる。具体的には、ポンプ４の吸入口から蒸発器３に貯留された冷媒液の液面までの高さが必要吸込ヘッドよりも大きくなるように、蒸発器３における冷媒液の量を調整することができる。同様に、ポンプ７の吸入口から凝縮器６に貯留された冷媒液の液面までの高さが必要吸込ヘッドよりも大きくなるように、凝縮器６における冷媒液の量を調整することができる。
【００６０】
ただし、冷媒液の合計量は既知であるから、蒸発器３の内部における冷媒液の液面の位置から、凝縮器６の内部における冷媒液の液面の位置を推定できる。同様に、凝縮器６の内部における冷媒液の液面の位置から、蒸発器３の内部における冷媒液の液面の位置を推定できる。したがって、液面センサ２３ａ及び２３ｂから選ばれる一方のみが設けられていたとしても、蒸発器３の内部における冷媒液の液面の位置及び凝縮器６の内部における冷媒液の液面の位置の両方を正確に知ることができる。
【００６１】
液面の位置を検出できる限りにおいて、液面センサ２３ａ及び２３ｂの種類は特に限定されない。液面センサ２３ａ及び２３ｂとして、フロート式の液面センサ、静電容量式の液面センサなどを使用できる。
【００６２】
蒸気経路３０における冷媒の流量（質量流量）は、第１バイパス路２１における冷媒の流量（質量流量）と必ずしも一致していない。しかし、両者が相違していたとしても、液面センサ２３ａ及び／又は液面センサ２３ｂを使用して液面の位置を把握し、弁１１を適切に制御すれば、蒸発器３の冷媒液の量と凝縮器６の冷媒液の量を適切に調整することができる。
【００６３】
冷凍サイクル装置１００は、さらに、制御器３２を備えている。制御器３２は、上記した濃度センサ１０ａなどの濃度検出機構の検出結果に基づき、第２バイパス路２２を通じて蒸発器３から凝縮器６へと冷媒液を供給するための処理を実行する。その際、液面センサ２３ａ及び２３ｂの検出結果に基づき、冷媒液の供給量が調整されうる。制御器３２によれば、当該処理が適切なタイミングで実行されうる。
【００６４】
次に、第２バイパス路２２を通じて、冷媒液を蒸発器３から凝縮器６に移動させることによって得られる他の利益について説明する。
【００６５】
例えば、冷凍サイクル装置１００の性能を冷房用途で十分に発揮させるためには、凝縮器６に貯留された冷媒液の温度が外気温よりも高いことが必要である。凝縮器６で生成される冷媒液の温度は、凝縮器６に供給された冷媒蒸気の圧力と、凝縮器６に貯留された冷媒液の飽和蒸気圧とに依存する。
【００６６】
まず、蒸発器３に貯留された冷媒液の飽和蒸気圧が、凝縮器６に貯留された冷媒液の飽和蒸気圧に一致している場合を説明する。この場合、図２Ａに示すように、蒸発器３の内部の温度及び圧力だけでなく、凝縮器６の内部の温度及び圧力も単一の飽和蒸気圧曲線ＣREFに従って変化する。そのため、例えば、蒸発器３に貯留された１０℃の冷媒液から４０℃の冷媒液を凝縮器６で生じさせるためには、蒸発器３で生成された冷媒蒸気の圧力を少なくともＰA（例えば１．７ｋＰａ）からＰC（例えば９ｋＰａ）まで上昇させる必要がある。
【００６７】
しかし、先に説明したように、添加剤（不凍液）と水との混合物を冷媒として使用すると、蒸発器３においては水が優先的に蒸発し、冷媒蒸気の大部分が水で占められる。蒸発器３に貯留された冷媒液における添加剤の濃度がα質量％であり、蒸気経路２を流れる冷媒蒸気における添加剤の濃度がβ質量％であると仮定する。添加剤と冷媒成分との混合物の飽和蒸気圧が、冷媒成分の飽和蒸気圧を下回るとき、一般には、添加剤の溶液（例えば水溶液）の飽和蒸気圧も冷媒成分の飽和蒸気圧を下回る。そのため、一般には、値αは、値βよりも大きい。蒸発器３で冷媒液が気化する際、高い飽和蒸気圧を有する冷媒成分が気化しやすいため、冷媒蒸気の全部又は大部分を冷媒成分が占める。その結果、運転時間の経過とともに、蒸発器３に貯留された冷媒液における添加剤の濃度が上昇し、凝縮器６に貯留された冷媒液における添加剤の濃度が低下する。
【００６８】
すると、図２Ｂに示すように、蒸発器３に貯留された冷媒液の飽和蒸気圧曲線ＣEVAが低圧側にシフトし、凝縮器６に貯留された冷媒液の飽和蒸気圧曲線ＣCONが高圧側にシフトする。つまり、蒸発器３に貯留された１０℃の冷媒液から４０℃の冷媒液を凝縮器６で生じさせるために必要な圧縮仕事が増加する。具体的には、（ＰD−ＰB）−（ＰC−ＰA）の圧力に相当する圧縮仕事が余分に必要となる。
【００６９】
本実施形態においては、第２バイパス路２２を通じて、蒸発器３に貯留された冷媒液の一部と凝縮器６に貯留された冷媒液の一部とが入れ替えられる。これにより、蒸発器３及び凝縮器６における添加剤の濃度が均一化し、圧縮仕事の増加を抑制することができる。蒸発器３に貯留された冷媒液の一部と凝縮器６に貯留された冷媒液の一部とを入れ替えるための処理（濃度均一化処理）は、例えば、以下の通りである。
【００７０】
通常の運転モード（例えば、冷房運転又は暖房運転）において、第２バイパス路２２の弁１２は閉じられている。第１バイパス路２１の弁１１は、第１バイパス路２１における冷媒液の流量が蒸気経路３０における冷媒蒸気の流量に一致するように制御されている。詳細には、弁１１の開度が適切に調整されている。あるいは、第１バイパス路２１の弁１１を定期的に開くことによって、凝縮器６から蒸発器３に冷媒液を戻してもよい。
【００７１】
制御器３２は、濃度センサ１０ａなどのセンサ群から信号を取得し、蒸発器３に貯留された冷媒液における添加剤の濃度、及び／又は、凝縮器６に貯留された冷媒液における添加剤の濃度を監視する。蒸発器３に貯留された冷媒液における添加剤の濃度が閾値e-thを上回った場合、及び／又は、凝縮器６に貯留された冷媒液における添加剤の濃度が閾値c-thを下回った場合、通常の運転が一時停止され、上記の濃度均一化処理が実行される。濃度均一化処理において、圧縮機２の運転を停止してもよいし、継続してもよい。
【００７２】
閾値e-th及び閾値c-thの値は特に限定されない。閾値e-th及び閾値c-thは、使用された添加剤（不凍剤）の種類、初期濃度、冷媒成分などに応じて適切に定められる。一例において、蒸発器３に貯留された冷媒液における添加剤の濃度が凝縮器６に貯留された冷媒液における添加剤の濃度の１．１倍を超えた場合に上記の濃度均一化処理が実行されるように、閾値e-th及び／又は閾値c-thが定められる。
【００７３】
濃度センサ１０ａ及び１０ｂに代えて、圧力センサ９ａ及び温度センサ２６ａを使用する場合、蒸発器３に貯留された冷媒液の飽和蒸気圧が閾値（閾値は、温度によって異なる）を下回った場合、上記の濃度均一化処理が実行されうる。濃度センサ１０ａ及び１０ｂに代えて、圧力センサ９ｂ及び温度センサ２６ｂを使用する場合、凝縮器６に貯留された冷媒液の飽和蒸気圧が閾値（閾値は、温度によって異なる）を上回った場合、上記の濃度均一化処理が実行されうる。これらの閾値も、使用された添加剤（不凍剤）の種類、初期濃度、冷媒成分などに応じて適切に定められる。
【００７４】
濃度均一化処理においては、第２バイパス路２２の弁１２を開き、ポンプ４を駆動する。弁１２を開くと、ポンプ４の高い吐出圧力によって、第２バイパス路２２を通じて、蒸発器３から凝縮器６に向かって冷媒液が流れる。併せて、ヘッド差及び圧力差によって、第１バイパス路２１を通じて、凝縮器６から蒸発器３に向かって冷媒液が流れる。これにより、蒸発器３に貯留された冷媒液における添加剤の濃度と凝縮器６に貯留された冷媒液における添加剤の濃度との差が縮小する。第１バイパス路２１の弁１１は、凝縮器６から蒸発器３に冷媒液をスムーズに流すことができるように制御されうる。弁１１が開度可変の弁であるとき、濃度均一化処理において、弁１１は、例えば、最大の開度となるように制御される。
【００７５】
濃度均一化処理の実行中において、液面センサ２３ａによる液面の位置の検出結果及び／又は液面センサ２３ｂによる液面の位置の検出結果に基づき、蒸発器３の冷媒液の量と凝縮器６の冷媒液の量とを積極的に調整してもよい。すなわち、蒸発器３の内部における冷媒液の液面の位置が予め定められた範囲に収まるように、濃度均一化処理が実行されうる。同様に、凝縮器６の内部における冷媒液の液面の位置が予め定められた範囲に収まるように、濃度均一化処理が実行されうる。このようにすれば、蒸発器３及び凝縮器６のそれぞれに必要な冷媒量が保たれるので、濃度均一化処理の終了後、直ちに通常の運転を再開することができる。また、液面センサ２３ａ及び２３ｂによれば、第１バイパス路２１及び第２バイパス路２２を通じた冷媒液の移動量を容易に管理することができる。特に、液面センサ２３ａ又は２３ｂ（例えば静電容量式の液面センサ）から第１バイパス路２１の開口部までの距離が適切に設定されているとき、濃度均一化処理において、一定量の冷媒液の移動を容易に管理することができる。このことは、蒸発器３に貯留された冷媒液における添加物の濃度の算出、及び、凝縮器６に貯留された冷媒液における添加物の濃度の算出の精度を高めることに貢献する。
【００７６】
なお、センサ群を使用せずに上記の濃度均一化処理を定期的に実行してもよい。すなわち、冷凍サイクル装置１００の運転継続時間が一定時間（例えば１時間）に達した場合、上記の濃度均一化処理を実行してもよい。このような構成によれば、添加剤の濃度を検出するための手段が不要である。さらに、冷凍サイクル装置１００の運転を停止する際に上記の濃度均一化処理を実行してもよい。このような構成によれば、冷媒液の凍結によって凝縮器６、配管などの部品が損壊することを防止できる。
【産業上の利用可能性】
【００７７】
本明細書に開示された冷凍サイクル装置は、家庭用エアコン、業務用エアコンなどの空気調和装置に特に有用である。本明細書に開示された冷凍サイクル装置は、空気調和装置に限定されず、チラー、蓄熱装置などの他の装置であってもよい。第１熱交換器５の冷却対象及び第２熱交換器８の加熱対象は、空気以外の気体であってもよいし、液体であってもよい。
【符号の説明】
【００７８】
２  圧縮機
３  蒸発器
４，７  ポンプ
５  第１熱交換器
６  凝縮器
８  第２熱交換器
９ａ，９ｂ  圧力センサ
１０ａ，１０ｂ  濃度センサ
１１，１２  弁
２１  第１バイパス路
２２  第２バイパス路
２３ａ，２３ｂ  液面センサ
２４  吸熱循環路
２５  放熱循環路
２６ａ，２６ｂ  温度センサ
１００  冷凍サイクル装置
【図１】
2016109321.tif 000003
【図２Ａ】
2016109321.tif 000004
【図２Ｂ】
2016109321.tif 000005